(57)【要約】【課題】操作性が良好で、また構造を簡略化しうるシート状素材の張設治具を提供する。【解決手段】軸線を中心として回動可能に、一方の隣接する支持体１２ａ、１２ｂのうちの一方の支持体１２ａに支持された駆動シャフト２５と、軸線を中心として回動可能に、隣接する一方の支持体のうちの他方の支持体１２ｂに支持されるとともに、駆動シャフト２５に傘歯歯車機構３０、３１を介して連繋された従動シャフト２７と、駆動シャフト２５および従動シャフト２７に設けられ、駆動シャフト２５および従動シャフト２７が回動することにより各対応する可動体１６ａ、１６ｂに作用し、可動体１６ａ、１６ｂを対向する支持体１２ｃ、１２ｄに対して離反する方向に移動させるカム３７、３８と、支持枠体１４の表面側から工具を挿入し、工具を回転させることにより、駆動シャフト２５を回転させる歯車機構３２、３３を具備する。【選択図】図２
2015131388.tif 000002
【特許請求の範囲】
【請求項１】
４つの支持体により矩形状に組まれた支持枠体と、
該支持枠体の前記４つの支持体のうちの一方の隣接する２つの支持体のそれぞれの支持体に、他方の隣接する２つの支持体のうちの各対向する支持体に対して接離動自在に支持された可動体と、
該２つの可動体および前記他方の隣接する支持体に設けられ、張設すべきシート状素材の周縁部に係止する係止部と、
前記可動体を、各対向する前記支持体に対して離反する方向に移動させて、前記係止部に係止するシート状素材に所要のテンションを付与して該シート状素材を張設する移動機構を具備するシート状素材の張設治具であって、
軸線を中心として回動可能に、前記一方の隣接する支持体のうちの一方の支持体に支持された駆動シャフトと、
軸線を中心として回動可能に、前記隣接する一方の支持体のうちの他方の支持体に支持されるとともに、前記駆動シャフトに傘歯歯車機構を介して連繋された従動シャフトと、
前記駆動シャフトおよび前記従動シャフトに設けられ、該駆動シャフトおよび従動シャフトが回動することにより各対応する前記可動体に作用し、該可動体を対向する前記支持体に対して離反する方向に移動させるカムと、
前記支持枠体の表面側から工具を挿入し、工具を回転させることにより、前記駆動シャフトを回転させる歯車機構を具備することを特徴とするシート状素材の張設治具。
【請求項２】
前記歯車機構がウォーム歯車機構であることを特徴とする請求項１記載のシート状素材の張設治具。
【請求項３】
前記２つの可動体を各対向する支持体から離反する方向への移動をガイドするスライド機構を有することを特徴とする請求項１または２記載のシート状素材の張設治具。
【請求項４】
前記駆動シャフトおよび従動シャフトのそれぞれに、前記カムが少なくとも２箇所に設けられていることを特徴とする請求項１〜３いずれか１項記載のシート状素材の張設治具。
【請求項５】
前記歯車機構が、前記工具を軸線を中心として１〜２回転させた位置で、前記シート状素材が張設状態になるように設定されていることを特徴とする請求項１〜４いずれか１項記載のシート状素材の張設治具。
【請求項６】
前記可動体および前記支持体のうちの少なくとも一方に、前記可動体が、前記シート状素材の張設位置まで移動したことを示す標識が設けられていることを特徴とする請求項１〜５いずれか１項記載のシート状素材の張設治具。
【請求項７】
前記４つの各支持体に、前記シート状素材の周縁部をスプリングの付勢力によって押える押え板が設けられていることを特徴とする請求項１〜６いずれか１項記載のシート状素材の張設治具。
【発明の詳細な説明】
【技術分野】
【０００１】
本発明はスクリーン印刷におけるメタルシートの張設などに用いて好適なシート状素材の張設治具に関する。
【背景技術】
【０００２】
各種スクリーン印刷の場合、張設治具にメタルシートあるいはメッシュ状のシートを張設し、この張設治具を印刷機にセットし、所要の印刷を行うようにしている。
張設治具としては、４つの枠材を矩形状に組み付けて支持枠体を形成し、対向する２組の枠材を、互いに対向する枠材に対して接離動可能に設け、また、各枠材には、張設すべきメタルシートあるいはメッシュ状のシートの周縁部を係止する係止部を設け、枠材内に、枠材を互いに対向する枠材に対して接離動させる伝達機構を設け、支持枠体の対向する２つのコーナー部側壁に、前記伝達機構を操作するＴ型レンチ等の工具を差し入れる挿入口を設けたものが知られている（例えば特許文献１）。
そして、支持枠体の枠材の係止部に、シートをその周縁部で仮係止し、対向する２つのコーナー部の挿入口に工具を差し入れ、双方の工具を回転させて、伝達機構を介して対向する枠材を互いの離反する方向に移動させることにより、シートを張設治具に所要のテンションを付与した状態で張設するようにしている。
【先行技術文献】
【特許文献】
【０００３】
【特許文献１】特開２０１０−２０１９３９号公報
【発明の概要】
【発明が解決しようとする課題】
【０００４】
しかしながら、上記従来の張設治具には次のような課題がある。
すなわち、伝達機構を操作するＴ型レンチ等の工具を、支持枠体の対向する２つのコーナー部側壁に設けた挿入口にそれぞれ挿入して、両工具を回転させて伝達機構を操作する構成としているので、例えば、机上でシートの張設作業をする場合、机に邪魔されてＴ型レンチ等の工具を回転しづらく、操作性が良くないという課題がある。また２つの工具を回転させて張設具合を調節する作業も容易ではない。さらに、２組の対向する枠材を互いに接離動させる伝達機構が複雑になりやすいという課題もあった。
【０００５】
本発明は、上記課題を解決すべくなされたものであり、その目的とするところは、操作性が良好で、また構造を簡略化しうるシート状素材の張設治具を提供することにある。
【課題を解決するための手段】
【０００６】
上記の目的を達成するため、本発明は次の構成を備える。
すなわち、本発明に係るシート状素材の張設治具は、４つの支持体により矩形状に組まれた支持枠体と、該支持枠体の前記４つの支持体のうちの一方の隣接する２つの支持体のそれぞれの支持体に、他方の隣接する２つの支持体のうちの各対向する支持体に対して接離動自在に支持された可動体と、該２つの可動体および前記他方の隣接する支持体に設けられ、張設すべきシート状素材の周縁部に係止する係止部と、前記可動体を、各対向する前記支持体に対して離反する方向に移動させて、前記係止部に係止するシート状素材に所要のテンションを付与して該シート状素材を張設する移動機構を具備するシート状素材の張設治具であって、軸線を中心として回動可能に、前記一方の隣接する支持体のうちの一方の支持体に支持された駆動シャフトと、軸線を中心として回動可能に、前記隣接する一方の支持体のうちの他方の支持体に支持されるとともに、前記駆動シャフトに傘歯歯車機構を介して連繋された従動シャフトと、前記駆動シャフトおよび前記従動シャフトに設けられ、該駆動シャフトおよび従動シャフトが回動することにより各対応する前記可動体に作用し、該可動体を対向する前記支持体に対して離反する方向に移動させるカムと、前記支持枠体の表面側から工具を挿入し、工具を回転させることにより、前記駆動シャフトを回転させる歯車機構を具備することを特徴とする。
【０００７】
また、前記歯車機構にウォーム歯車機構を用いると好適である。
また、前記２つの可動体を各対向する支持体から離反する方向への移動をガイドするスライド機構を設けると好適である。
前記駆動シャフトおよび従動シャフトのそれぞれに、前記カムを少なくとも２箇所に設けると好適である。
【０００８】
前記歯車機構を、前記工具を軸線を中心として１〜２回転させた位置で、前記シート状素材が張設状態になるように設定すると作業が容易となる。
前記可動体および前記支持体のうちの少なくとも一方に、前記可動体が、前記シート状素材の張設位置まで移動したことを示す標識を設けると好適である。
また、前記４つの各支持体に、前記シート状素材の周縁部をスプリングの付勢力によって押える押え板を設けると作業が容易になる。
【発明の効果】
【０００９】
本発明によれば、張設治具を、例えば机上に置いた状態であっても、支持枠体の表面側から、机に邪魔されることなく六角レンチ等の工具操作できるので、六角レンチ等の工具の操作が容易である。また、六角レンチ等の工具による操作は、支持枠体表面側の１箇所のみでよいので、容易にシートの張設作業が行える。さらに、構造の簡易化が図れるという効果を奏する。
【図面の簡単な説明】
【００１０】
【図１】張設治具の平面図である。
【図２】張設治具の一部切欠平面図である。
【図３】張設治具の部分拡大平面図である。
【図４】カム機構を示す断面図である。
【図５】カム機構を示す断面図である。
【図６】シートと張設治具との関係を示す説明図である。
【図７】押え板の構造を示す説明図である。
【図８】押え板の構造を示す説明図である。
【図９】可動体の他の実施の形態を示す説明図である。
【発明を実施するための形態】
【００１１】
以下本発明の実施の形態を添付図面に基づき詳細に説明する。
図１は張設治具１０の平面図、図２は張設治具１０の一部切欠平面図、図３はその部分拡大平面図、図４および図５はカム機構を示す断面図、図６は、シートと張設治具１０との関係を示す説明図である。
張設治具１０は、図１、図２、図６に示すように、４つの支持体１２ａ、１２ｂ、１２ｃ、１２ｄにより矩形状に組まれた支持枠体１４を有する。
各支持体１２ａ〜１２ｄは、図４、図５に示すように、断面矩形の中空体をなしている。
そして、支持体１２ａ〜１２ｄは、その各コーナー部に、隣接する２壁が開口した中空状のコーナー体１５を配置することにより、全体が矩形状の支持枠体１４をなすように組み付けられている。
【００１２】
図２〜図５に示すように、支持枠体１４の４つの支持体１２ａ〜１２ｄのうちの一方の隣接する２つの支持体１２ａ、１２ｂのそれぞれの支持体１２ａ、１２ｂ内に、他方の隣接する２つの支持体１２ｃ、１２ｄのうちの各対向する支持体１２ｃ、１２ｄに対して接離動自在に可動体１６ａ、１６ｂが配置されている。すなわち、可動体１６ａは、支持体１２ａ内に、対向する支持体１２ｃに対してＸ方向（図３）に接離動自在に配置されている。また、可動体１６ｂは、支持体１２ｂ内に、対向する支持体１２ｄに対してＹ方向（図３）に接離動自在に配置されている。
【００１３】
可動体１６ａ、１６ｂはそれぞれ支持体１２ａ、１２ｂ内を支持体１２ａ、１２ｂの略全長に亘って伸びている。また可動体１６ａ、１６ｂは断面コの字状をなし、必要な強度を有している。
なお、可動体１６ａ、１６ｂは、それぞれスライダ１７上に固定されて、スライダ１７と共に、それぞれＸ方向、Ｙ方向にスムーズに移動可能となっている。１８はスライダ１７を構成するローラである。
このように、可動体１６ａ、１６ｂは、スライダ１７に固定されて移動することから、各対向する支持体１２ｃ、１２ｄに対して正対してスムーズに接離動可能となっている。
【００１４】
各可動体１６ａ、１６ｂには、図１、図４、図５に示すように、係止ピン（係止部）２２が適宜間隔をおいて複数設けられている。この係止ピン２２は、支持体１２ａ、１２ｂに設けられた長孔２３もしくはスリットを貫通して支持体１２ａ、１２ｂの表面から外方に突出している。そしてこの係止ピン２２は、シート１９の周縁部に設けられた係止孔２０（図６）に進入可能となっている。係止ピン２２は係止孔２０の縁に係止する。
同様に、支持体１２ｃ、１２ｄにも、シート１９の周縁部に設けられた係止孔２０（図６）に係止する係止ピン（係止部）２２が適宜間隔をおいて複数設けられている。
なお、係止部は係止ピンには限られず、可動体１６ａ、１６ｂ、支持体１２ｃ、１２ｄ、およびシート１９のいずれかに設けられた凸条と凹溝（図示せず）等であってもよい。
【００１５】
図２に示すように、支持体１２ａ内には駆動シャフト２５が軸受２６を介して軸線を中心として回動可能に支持されている。駆動シャフト２５は、支持体１２ａのほぼ全長に亘って伸びている。
また、支持体１２ａに隣接する支持体１２ｂ内には、従動シャフト２７が軸受２８を介して軸線を中心として回転可能に支持されている。従動シャフト２７は支持体１２ｂのほぼ全長に亘って伸びている。
駆動シャフト２５上には傘歯歯車３０が固定され、この傘歯歯車３０が、従動シャフト２７上に固定された傘歯歯車３１に噛合している。したがって、駆動シャフト２５の回転が傘歯歯車３０、３１を介して従動シャフト２７に伝達される。
【００１６】
駆動シャフト２５上には、ウォームホイール３２が固定され、このウォームホイール３２にウォーム３３が噛合している。ウォーム３３は、支持体１２ａ（具体的にはコーナー体１５）内に図示しない軸受を介して回転自在に支持されている。ウォーム３３の端部には、工具である六角レンチ（図示せず）が挿入可能な六角穴３４が設けられている。支持体１２ａ（コーナー体１５）の表面側には、六角穴３４が臨む工具挿入孔３５（図１）が設けられており、この工具挿入孔３５から六角レンチを挿入して、ウォーム３３を回転操作できるようになっている。なお、張設治具１０が、スクリーン印刷用のシート（メタルシート等）張設治具である場合、シートを張設する側は、図１における裏面側ということになるが、側面とは区別する意味で、本実施の形態（本発明）では支持体１２ａの表面側としている（側面とは区別する意味で、表裏面の双方を表面ということにする）。
【００１７】
次に、図２〜図５に示すように、駆動シャフト２５および従動シャフト２７上には、偏心カム３７、３８がそれぞれ設けられている。カム３７、３８は、駆動シャフト２５および従動シャフト２７が回動することにより当板４０を介して各対応する可動体１６ａ、１６ｂに作用し、可動体１６ａ、１６ｂをそれぞれ対向する支持体１２ｃ、１２ｄに対して離反する方向に移動させる（図４、図５）。カム３７、３８は、それぞれ駆動シャフト２５、従動シャフト２７上に、２個以上の複数個配設するのが好ましい。カムを複数設けることによって、可動体１６ａ、１６ｂに均等に力を作用させることができるようになる。
【００１８】
なお、六角レンチ等の前記工具を、軸線を中心として３〜５回転させた位置で、シート１９が張設状態になるように、前記ウォーム歯車機構３２、３３の条件を設定している。このように、工具の回転数を少なくすることにより、操作性が向上する。
また、図示しないが、可動体１６ａ、１６ｂおよび支持体１２ａ、１２ｂのうちの少なくとも一方に、可動体１６ａ、１６ｂ（係止ピン２２）が、シート１９の張設位置まで移動したことを示す標識を設けるようにすると好適である。これにより、張設位置を的確に把握でき、工具の操作を最適位置で終了できる。
【００１９】
次に、図１に示すように、４つの各支持体１２ａ、１２ｂ、１２ｃ、１２ｄに、シート１９の周縁部を押える押え板４２が設けられている。
各支持体１２ａ〜１２ｄの表面の適所には、図７に示すように突条４３が設けられ、シート１９は、その外周の若干内側の部位で突条４３に支持されることで、突条４３の内側の部位に良好にテンションが付与されるようになっている。その際、シート１９がメタルの場合には、シート１９の外周部が浮き上がり、係止ピン２２に係止されない状態が生じる。
このため、従来は、別途枠状の押え治具によりシート１９の４辺の外周縁を押えこみ、係止ピンへの係止状態を維持しながら、工具を操作して、シート１９の張設作業をしていた。
【００２０】
しかし、従来のように、押え治具によりシート１９の４辺の外周縁を押えながら、工具を操作する動作は非常に厄介であり、操作性に問題があった。場合によっては、複数人でシートの張設作業をする必要があった。
この点、本実施の形態では、押え板４２により、自動的にシート１９を押えることができるようにした。
本実施の形態では、押え板４２を、図７の矢印に示すように、支持枠体１４の内外方向に回動自在に、軸ピン４４により、上下動シャフト４５に支持するようにしている。そして、上下動シャフト４５の基部側は支持体１２内に位置し、上下動シャフト４５の下端に設けたワッシャ４６と支持体１２の内壁面との間にコイルスプリング４７を配設し、上下動シャフト４５を下方に付勢するようにしている。
【００２１】
したがって、押え板４２は、図７の左右の倒伏位置で、下方への押え力が生じる。このようにして、図７においては、押え板４２は右側への倒伏位置でシート１９の外周部をスプリングの付勢力によって押えこむことができる。本実施の形態では、押え板４２の回動作業は手作業で行うことになるが、一度シート１９を押えこめば、あとは手を離しても、コイルスプリング４７の付勢力によってシート１９を押えこむことができる。したがって、従来のように、枠状の押え治具により常時シート１９を押える必要がないので、工具によるシート１９の張設作業を容易に行える。
なお、図８は押え板４２の起立状態を示す。
また、押え板４２の付勢構造は上記の構造に限定されるものではない。
【００２２】
本実施の形態におけるシート状素材の張設治具１０は上記のように構成されている。
シート１９を張設するのは次のようにして行う。
まず、図６に示すように、シート１９を係止孔２０が係止ピン２２の位置にくるように、支持枠体１４上に配置する。なお、シート１９は、４隅が切り欠かれている。これは、図７に示すように、シート１９が突条４３で支持され、外周部が下方に曲折された状態で張設される際に、コーナー部にしわが発生するのを防止するためである。
【００２３】
次いで、上記したように、押え板４２により、シート１９の外周縁を押えこみ、係止ピン２２が係止孔２０に入りこむようにする。
この状態で、六角レンチを挿入孔３５および六角穴３４に挿入して、六角レンチを回して、ウォーム機構３２、３３により駆動シャフト２５および従動シャフト２７を回転させる。これに伴い、カム３７、３８が回転し、可動体１６ａ、１６ｂに作用し、可動体１６ａ、１６ｂ、したがって係止ピン２２を対向する支持体１２ｃ、１２ｄに対して離反する方向に移動させ、シート１９の張設を行うことができる。この場合、支持枠体１０を、例えば机上に置いた状態であっても、挿入孔３５は上を向き、机に邪魔されることなく六角レンチを挿入孔に挿入できるので、六角レンチの操作が容易である。また、六角レンチ等の工具による操作は、支持枠体１４表面側の１箇所のみでよいので、容易にシートの張設作業が行える。
【００２４】
係止ピン２２が所要位置まで移動したことを図示しない標識により確認することで、張設作業を終了できる。あるいは、カム３７、３８と支持体１２ａ、１２ｂとの間に適宜なストッパ機構（図示せず）を設け、シート１９が所要の張設状態になった位置で、ストッパ機構によりカム３７、３８の回転を停止するようにして、張設作業を終了できるようにしてもよい。
【００２５】
本実施の形態では、上記のように、可動体１６ａ、１６ｂをスライダ１７上に固定して、可動体１６ａ、１６ｂを各支持体１２ａ、１２ｂに対して平行移動するように構成しているから、可動体１６ａ、１６ｂの移動がスムーズで、張設作業を良好に行える。
【００２６】
図９は、可動体１６ａ、１６ｂの他の実施の形態を示す説明図である。
本実施の形態では、可動体１６ａ、１６ｂをその下端を中心に回動自在に支持体１２に支持し、上記実施の形態と同様にして、カム（図示せず）により可動体１６ａ、１６ｂを外方に向けて押圧できるようにしている。このようにしても、係止ピン２２によりシート１９の張設作業を行うことができる。
【００２７】
なお、上記実施の形態では、スクリーン印刷における、メタルシートあるいはメッシュ状シートを張設する治具について説明したが、本実施の形態におけるシート状素材の張設治具は、キャンバスにおける布地（シート状素材）の張設など、およそシート状素材の張設であれば、どのような場合にも適用できるのはもちろんである。
【符号の説明】
【００２８】
１０  シート状素材の張設治具、１２，１２ａ〜１２ｄ  支持体、１４  支持枠体、１６ａ，１６ｂ  可動体、１７  スライダ、１８  ローラ、１９  シート（シート状素材）、２０  係止孔、２２  係止ピン、２５  駆動シャフト、２６  軸受、２７  従動シャフト、２８  軸受、３０，３１  傘歯歯車、３２  ウォームホイール、３３  ウォーム、３４  六角孔、３５  挿入孔、３７，３８  カム、４０  当板、４２  押え板、４３  突条、４４  軸ピン、４５  上下動シャフト、４６  ワッシャ、４７  コイルスプリング
【図１】
2015131388.tif 000003
【図２】
2015131388.tif 000004
【図３】
2015131388.tif 000005
【図４】
2015131388.tif 000006
【図５】
2015131388.tif 000007
【図６】
2015131388.tif 000008
【図７】
2015131388.tif 000009
【図８】
2015131388.tif 000010
【図９】
2015131388.tif 000011
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
４つの支持体により矩形状に組まれた支持枠体と、
該支持枠体の前記４つの支持体のうちの一方の隣接する２つの支持体のそれぞれの支持体に、他方の隣接する２つの支持体のうちの各対向する支持体に対して接離動自在に支持された可動体と、
該２つの可動体および前記他方の隣接する支持体に設けられ、張設すべきシート状素材の周縁部に係止する係止部と、
前記可動体を、各対向する前記支持体に対して離反する方向に移動させて、前記係止部に係止するシート状素材に所要のテンションを付与して該シート状素材を張設する移動機構を具備するシート状素材の張設治具であって、
前記一方の隣接する支持体のうちの一方の支持体内を伸びると共に、該支持体に軸線を中心として回動可能に支持された駆動シャフトと、
前記隣接する一方の支持体のうちの他方の支持体内を伸びると共に、該支持体に軸線を中心として回動可能に支持され、前記駆動シャフトに傘歯歯車機構を介して連繋された従動シャフトと、
前記駆動シャフト上および前記従動シャフト上に設けられ、該駆動シャフトおよび従動シャフトが軸線を中心として回動することにより各対応する前記可動体を外方に押動して、該可動体を対向する前記支持体に対して離反する方向に移動させる偏心カムと、
前記駆動シャフトおよび前記従動シャフトの一端側が位置する前記支持枠体の１つのコーナー部に位置して設けられ、前記支持枠体の表面側から工具を挿入し、該工具を回転させることにより、前記駆動シャフトを回転させる歯車機構を具備することを特徴とするシート状素材の張設治具。
【請求項２】
前記歯車機構がウォーム歯車機構であることを特徴とする請求項１記載のシート状素材の張設治具。
【請求項３】
前記２つの可動体を各対向する支持体から離反する方向への移動をガイドするスライド機構を有することを特徴とする請求項１または２記載のシート状素材の張設治具。
【請求項４】
前記駆動シャフトおよび従動シャフトのそれぞれに、前記偏心カムが少なくとも２箇所に設けられていることを特徴とする請求項１〜３いずれか１項記載のシート状素材の張設治具。
【請求項５】
前記歯車機構が、前記工具を軸線を中心として１〜２回転させた位置で、前記シート状素材が張設状態になるように設定されていることを特徴とする請求項１〜４いずれか１項記載のシート状素材の張設治具。
【請求項６】
前記可動体および前記支持体のうちの少なくとも一方に、前記可動体が、前記シート状素材の張設位置まで移動したことを示す標識が設けられていることを特徴とする請求項１〜５いずれか１項記載のシート状素材の張設治具。
【請求項７】
前記４つの各支持体に、前記シート状素材の周縁部をスプリングの付勢力によって押える押え板が設けられていることを特徴とする請求項１〜６いずれか１項記載のシート状素材の張設治具。
【手続補正２】
【補正対象書類名】明細書
【補正対象項目名】０００６
【補正方法】変更
【補正の内容】
【０００６】
上記目的を達成するため、本発明は次の構成を備える。
すなわち、本発明に係るシート状素材の張設治具は、４つの支持体により矩形状に組まれた支持枠体と、該支持枠体の前記４つの支持体のうちの一方の隣接する２つの支持体のそれぞれの支持体に、他方の隣接する２つの支持体のうちの各対向する支持体に対して接離動自在に支持された可動体と、該２つの可動体および前記他方の隣接する支持体に設けられ、張設すべきシート状素材の周縁部に係止する係止部と、前記可動体を、各対向する前記支持体に対して離反する方向に移動させて、前記係止部に係止するシート状素材に所要のテンションを付与して該シート状素材を張設する移動機構を具備するシート状素材の張設治具であって、前記一方の隣接する支持体のうちの一方の支持体内を伸びると共に、該支持体に軸線を中心として回動可能に支持された駆動シャフトと、前記隣接する一方の支持体のうちの他方の支持体内を伸びると共に、該支持体に軸線を中心として回動可能に支持され、前記駆動シャフトに傘歯歯車機構を介して連繋された従動シャフトと、前記駆動シャフト上および前記従動シャフト上に設けられ、該駆動シャフトおよび従動シャフトが軸線を中心として回動することにより各対応する前記可動体を外方に押動して、該可動体を対向する前記支持体に対して離反する方向に移動させる偏心カムと、前記駆動シャフトおよび前記従動シャフトの一端側が位置する前記支持枠体の１つのコーナー部に位置して設けられ、前記支持枠体の表面側から工具を挿入し、該工具を回転させることにより、前記駆動シャフトを回転させる歯車機構を具備することを特徴とする。
【手続補正３】
【補正対象書類名】明細書
【補正対象項目名】０００７
【補正方法】変更
【補正の内容】
【０００７】
また、前記歯車機構にウォーム歯車機構を用いると好適である。
また、前記２つの可動体を各対向する支持体から離反する方向への移動をガイドするスライド機構を設けると好適である。
前記駆動シャフトおよび従動シャフトのそれぞれに、前記偏心カムを少なくとも２箇所に設けると好適である。